(57)【要約】【課題】血圧値が異常値か否かを容易に判断することのできる電子血圧計を提供する。【解決手段】電子血圧計は、次のように各測定結果に対応するマーカー４０を表示する。すなわち、最新上部セグメント５１および最新下部セグメント５２により最新正常最高血圧マーカー４２Ａおよび最新正常最低血圧マーカー４３Ａを表示する。また、最新上部セグメント５１により最新異常最高血圧マーカー４２Ｂおよび最新異常低血圧マーカー４３Ｂを表示する。また、過去上部セグメント５３および過去下部セグメント５４により過去正常最高血圧マーカー４５Ａおよび過去正常最低血圧マーカー４６Ａを表示する。また、過去上部セグメント５３により過去異常最高血圧マーカー４５Ｂおよび過去異常最低血圧マーカー４６Ｂを表示する。すなわち、血圧値が正常であることを示すマーカー４０の形状と血圧値が異常であることを示すマーカー４０の形状とが互いに異なる。【選択図】図５
2013022285.tif 000002
【特許請求の範囲】
【請求項１】
血圧の測定結果をマーカーにより表示する電子血圧計において、
所定範囲内の血圧値を正常値とし、所定範囲外の血圧値を異常値とし、前記正常値に対応する前記マーカーを正常マーカーとし、前記異常値に対応する前記マーカーを異常マーカーとし、前記マーカーの形状および色の少なくとも一方を識別情報として、
前記正常マーカーの識別情報と前記異常マーカーの識別情報とが互いに異なること
を特徴とする電子血圧計。
【請求項２】
請求項１に記載の電子血圧計において、
前記正常マーカーが複数の表示要素により構成されていること、
前記異常マーカーが少なくとも１つの表示要素により構成されていること、
ならびに、前記正常マーカーを構成する前記複数の表示要素の少なくとも１つにより前記異常マーカーの表示要素が構成されていること
を特徴とする電子血圧計。
【請求項３】
請求項２に記載の電子血圧計において、
前記正常マーカーが２つの表示要素により構成されていること、
ならびに、前記２つの表示要素の一方により前記異常マーカーが構成されていること
を特徴とする電子血圧計。
【請求項４】
請求項１に記載の電子血圧計において、
前記異常マーカーが複数の表示要素により構成されていること、
前記正常マーカーが少なくとも１つの表示要素により構成されていること、
ならびに、前記異常マーカーを構成する前記複数の表示要素の少なくとも１つにより前記正常マーカーの表示要素が構成されていること
を特徴とする電子血圧計。
【請求項５】
請求項４に記載の電子血圧計において、
前記異常マーカーが２つの表示要素により構成されていること、
ならびに、前記２つの表示要素の一方により前記正常マーカーが構成されていること
を特徴とする電子血圧計。
【請求項６】
請求項１〜５のいずれか一項に記載の電子血圧計において、
最高血圧値に対応する前記マーカーおよび最低血圧値に対応する前記マーカーを共通の血圧値の軸により表示すること
を特徴とする電子血圧計。
【請求項７】
請求項１〜６のいずれか一項に記載の電子血圧計において、
最新の測定結果としての前記マーカーを最新マーカーとし、過去の測定結果としての前記マーカーを過去マーカーとし、前記最新マーカーとしての前記正常マーカーを最新正常マーカーとし、前記最新マーカーとしての前記異常マーカーを最新異常マーカーとし、前記過去マーカーとしての前記正常マーカーを過去正常マーカーとし、前記過去マーカーとしての前記異常マーカーを過去異常マーカーとして、前記最新正常マーカーの識別情報と、前記最新異常マーカーの識別情報と、前記過去正常マーカーの識別情報と、前記過去異常マーカーの識別情報とが互いに異なること
を特徴とする電子血圧計。
【発明の詳細な説明】
【技術分野】
【０００１】
本発明は、血圧の測定結果をマーカーにより表示する電子血圧計に関する。
【背景技術】
【０００２】
上記電子血圧計として特許文献１に記載のものが知られている。
この電子血圧計は、血圧値をグラフ上にマーカーで表示する。
【先行技術文献】
【特許文献】
【０００３】
【特許文献１】特開２００５−２１８４９２号公報
【発明の概要】
【発明が解決しようとする課題】
【０００４】
上記電子血圧計を使用するユーザーは、マーカーの血圧値の軸の値を確認することにより該当する血圧値が異常値か否かを判断する必要がある。すなわち、血圧値が異常値か否かを把握するため、ユーザーは、マーカーと血圧値の軸との対応を確認する必要がある。このため、判断の作業に手間がかかる。
【０００５】
本発明は上記課題を解決するためになされたものであり、その目的は、血圧値が異常値か否かを容易に判断することのできる電子血圧計を提供することにある。
【課題を解決するための手段】
【０００６】
上記目的を達成するための手段を以下に示す。
・本発明の電子血圧計は、血圧の測定結果をマーカーにより表示する電子血圧計において、所定範囲内の血圧値を正常値とし、所定範囲外の血圧値を異常値とし、前記正常値に対応する前記マーカーを正常マーカーとし、前記異常値に対応する前記マーカーを異常マーカーとし、前記マーカーの形状および色の少なくとも一方を識別情報として、前記正常マーカーの識別情報と前記異常マーカーの識別情報とが互いに異なることを特徴としている。
【０００７】
・この電子血圧計においては、前記正常マーカーが複数の表示要素により構成されていること、前記異常マーカーが少なくとも１つの表示要素により構成されていること、ならびに、前記正常マーカーを構成する前記複数の表示要素の少なくとも１つにより前記異常マーカーの表示要素が構成されていることが好ましい。
【０００８】
・この電子血圧計においては、前記正常マーカーが２つの表示要素により構成されていること、ならびに、前記２つの表示要素の一方により前記異常マーカーが構成されていることが好ましい。
【０００９】
・この電子血圧計においては、前記異常マーカーが複数の表示要素により構成されていること、前記正常マーカーが少なくとも１つの表示要素により構成されていること、ならびに、前記異常マーカーを構成する前記複数の表示要素の少なくとも１つにより前記正常マーカーの表示要素が構成されていることが好ましい。
【００１０】
・この電子血圧計においては、前記異常マーカーが２つの表示要素により構成されていること、ならびに、前記２つの表示要素の一方により前記正常マーカーが構成されていることが好ましい。
【００１１】
・この電子血圧計においては、最高血圧値に対応する前記マーカーおよび最低血圧値に対応する前記マーカーを共通の血圧値の軸により表示することが好ましい。
・この電子血圧計においては、最新の測定結果としての前記マーカーを最新マーカーとし、過去の測定結果としての前記マーカーを過去マーカーとし、前記最新マーカーとしての前記正常マーカーを最新正常マーカーとし、前記最新マーカーとしての前記異常マーカーを最新異常マーカーとし、前記過去マーカーとしての前記正常マーカーを過去正常マーカーとし、前記過去マーカーとしての前記異常マーカーを過去異常マーカーとして、前記最新正常マーカーの識別情報と、前記最新異常マーカーの識別情報と、前記過去正常マーカーの識別情報と、前記過去異常マーカーの識別情報とが互いに異なることが好ましい。
【発明の効果】
【００１２】
本発明によれば、血圧値が異常値か否かを容易に判断することのできる電子血圧計を提供することができる。
【図面の簡単な説明】
【００１３】
【図１】本発明の一実施形態の電子血圧計について、その斜視構造を示す斜視図。
【図２】同実施形態の電子血圧計について、その構成を示すブロック図。
【図３】同実施形態の電子血圧計について、表示部および操作ボタンを示す正面図。
【図４】同実施形態の電子血圧計について、グラフのセグメント構成を示す正面図。
【図５】同実施形態の電子血圧計について、セグメントと各マーカーとの関係を示すテーブル。
【図６】同実施形態の電子血圧計について、表示部および操作ボタンを示す正面図。
【図７】同実施形態の電子血圧計について、表示部および操作ボタンを示す正面図。
【図８】同実施形態の電子血圧計について、表示部および操作ボタンを示す正面図。
【図９】同実施形態の電子血圧計について、表示部および操作ボタンを示す正面図。
【図１０】同実施形態の電子血圧計の制御部により実行される「グラフ表示制御」について、その手順を示すフローチャート。
【図１１】同実施形態の電子血圧計の制御部により実行される「表示内容変更制御」について、その手順を示すフローチャート。
【図１２】本発明のその他の実施形態としての電子血圧計について、表示部および操作ボタンを示す正面図。
【発明を実施するための形態】
【００１４】
図１を参照して、電子血圧計１の構成について説明する。
まず、電子血圧計１の各方向を以下のように定義する。
（ａ）表示部３０の幅方向Ｘにおいて、左側から右側に向かう方向を「右方」とし、右側から左側に向かう方向を「左方」とする。
（ｂ）表示部３０の高さ方向Ｙにおいて、底部から頂部に向かう方向を「上方」とし、頂部から底部に向かう方向を「下方」とする。
【００１５】
電子血圧計１には、各種の機器を有する本体１０と、エアバッグにより腕を圧迫する圧迫帯６０と、商用交流電源から本体１０に電力を供給する電源アダプタ８０とが設けられている。またこの他に、本体１０と圧迫帯６０とを互いに接続するチューブ７０が設けられている。
【００１６】
本体１０には、血圧の測定等のためにユーザーにより操作される操作部２０と、測定結果等を表示する表示部３０とが設けられている。表示部３０には、セグメント式の液晶画面が設けられている。
【００１７】
本体１０の内部には、圧迫帯６０のエアバッグにエアを供給するエアポンプと、エアポンプからエアバッグへのエアの供給態様を制御する電磁弁と、本体１０の電源としての電池とが設けられている。なお、これらエアポンプ、エアバッグ、および電池については図示を省略している。
【００１８】
操作部２０には、本体１０の電源のオンおよびオフを切り替えるための電源ボタン２１と、本体１０の各機器を動作させるための操作ボタン２２とが設けられている。操作ボタン２２としては、３つのボタン、すなわち測定ボタン２３、記憶ボタン２４、および切替ボタン２５が設けられている。
【００１９】
電子血圧計１による血圧の測定手順について説明する。
ユーザーは次の手順で血圧の測定を行う。
（手順１）商用交流電源を本体１０の電源として用いるとき、本体１０に電源アダプタ８０を接続する。一方、内蔵の電池を本体１０の電源として用いるとき、電源アダプタ８０を本体１０または商用交流電源に接続しない。
（手順２）圧迫帯６０を腕に装着する。
（手順３）電源ボタン２１の操作により本体１０の電源を投入する。
（手順４）測定ボタン２３の操作により血圧の測定を開始する。血圧の測定開始にともないエアポンプからチューブ７０を介して圧迫帯６０にエアが供給される。これにより、ユーザーの腕が圧迫帯６０により圧迫される。
（手順５）血圧の測定が終了した後、記憶ボタン２４の操作により今回の測定結果を記憶部１２に記憶する。また、過去の測定結果を表示部３０に表示するとき、記憶ボタン２４を操作する。また、表示部３０に表示されるグラフ３９（図３）の表示モードを切り替えるとき、切替ボタン２５を操作する。
【００２０】
図２および図３を参照して、電子血圧計１の制御系の構成について説明する。
本体１０の内部には、測定結果の演算をはじめとする各種の演算を行う制御部１１と、測定結果を記憶する記憶部１２と、エアバッグおよびエアポンプを含む測定部１３とが設けられている。
【００２１】
制御部１１は、切替ボタン２５の操作に応じて図３のグラフ３９の表示モードを、３つの表示モードのいずれか、すなわち全表示モード、週表示モード、および月表示モードのいずれかに切り替える。
【００２２】
全表示モードでは、各測定結果の測定値を図３のマーカー４０によりグラフ３９に表示する。週表示モードでは、各測定結果を週単位で平均化した平均値をマーカー４０によりグラフ３９に表示する。月表示モードでは、各測定結果を月単位で平均化した平均値をマーカー４０によりグラフ３９に表示する。
【００２３】
制御部１１は、測定結果としての測定値を次の手順で記憶部１２に記憶する。
すなわち、血圧値の測定により得られた測定値と測定の日時とを対応付け、この対応付けた測定値を測定データとして記憶部１２に記憶する。また、週表示モードを選択しているとき、記憶部１２の各測定データを用いて週毎の平均値を算出し、算出に用いた各測定データの週と算出した平均値とを対応付けたものを測定データとして記憶部１２に記憶する。また、月表示モードを選択しているとき、記憶部１２の各測定データを用いて月毎の平均値を算出し、算出に用いた各測定データの月と算出した平均値とを対応付けたものを測定データとして記憶部１２に記憶する。
【００２４】
記憶部１２は、上記のとおり血圧値の測定により得られた測定値、およびその平均値を測定データとして記憶する。以下では、測定値および平均値としての測定データのうちの最新の測定データを「最新測定データ」とし、測定値および平均値としての測定データのうちの過去の測定データを「過去測定データ」とする。
【００２５】
図３を参照して、表示部３０の構成および機能について説明する。
表示部３０には、８つの表示領域すなわち、最高血圧領域３１、最低血圧領域３２、番号領域３３、算出領域３４、時間帯領域３５、脈拍領域３６、グラフ領域３８、およびスケール領域３７が設けられている。
【００２６】
各領域は、表示部３０の幅方向Ｘにおいて次のように配置されている。
最高血圧領域３１および最低血圧領域３２は、幅方向Ｘの左方部分に設けられている。グラフ領域３８およびスケール領域３７は、幅方向Ｘの中間部分に設けられている。番号領域３３、算出領域３４、時間帯領域３５、および脈拍領域３６は、幅方向Ｘの右方部分に設けられている。
【００２７】
各領域は、表示部３０の高さ方向Ｙにおいて次のように配置されている。
最低血圧領域３２は、最高血圧領域３１の下方に設けられている。スケール領域３７は、グラフ領域３８の下方に設けられている。算出領域３４は、番号領域３３の下方に設けられている。時間帯領域３５は、算出領域３４の下方に設けられている。脈拍領域３６は、番号領域３３の下方に設けられている。
【００２８】
グラフ領域３８には、最新測定データおよび複数の過去測定データを表示するためのグラフ３９と、グラフ３９上において各測定データをマーカー４０として表示するための複数のセグメント５０とが設けられている。
【００２９】
グラフ３９の横軸は時間軸３９Ｘとして設定されている。時間軸３９Ｘにより示される時間は、右方から左方に向かうにつれて過去のものになる。グラフ３９の縦軸は血圧値軸３９Ｙとして設定されている。血圧値軸３９Ｙにより示される血圧値は、下方から上方に向かうにつれて大きくなる。
【００３０】
ユーザーは、操作ボタン２２を操作することにより、最高血圧領域３１、最低血圧領域３２、番号領域３３、算出領域３４、時間帯領域３５、および脈拍領域３６に詳細な情報を表示する対象となる測定データを選択することができる。そして、操作ボタン２２の操作により選択された測定データのマーカー４０がグラフ３９に表示されているとき、同マーカー４０が点滅する。なお、点滅する測定データとして最新測定データが選択されるように初期設定されている。以下では、操作ボタン２２の操作により選択されている測定データを「選択データ」とする。
【００３１】
表示部３０の各領域に表示される情報について説明する。
（ａ）最高血圧領域３１は、選択データの最高血圧値を数値により表示する。
（ｂ）最低血圧領域３２は、選択データの最低血圧値を数値により表示する。
【００３２】
（ｃ）番号領域３３は、選択データに測定順に割り振られているデータ番号を表示する。なお、選択データが過去の測定結果の平均値を示すときデータ番号は表示されない。
（ｄ）算出領域３４は、選択データの属性を矢印により表示する。具体的には、選択データが過去の測定結果を示すとき「記憶」の印字に対応する矢印を点灯する。また、選択データが過去の測定結果の平均値を示すとき「平均」の印字に対応する矢印を点灯する。
【００３３】
（ｅ）時間帯領域３５は、選択データに対応する測定時間帯を画像により表示する。具体的には、選択データの測定時間が午前３：００から午前１１：００までの時間帯に含まれるとき、その旨を示す第１の測定時間画像３５Ａを表示する。一方、選択データの測定時間が午後６：００から午前２：５９までの時間帯に含まれるとき、その旨を示す第２の測定時間画像３５Ｂを表示する。なお、選択データの測定時間が午前１１：０１から午後５：５９までの時間に含まれるときは、第１の測定時間画像３５Ａおよび第２の測定時間画像３５Ｂのいずれの画像も表示しない。
【００３４】
（ｆ）脈拍領域３６は、選択データの脈拍値を数値により表示する。
（ｇ）スケール領域３７は、グラフ３９の時間軸３９Ｘのスケールを数値により表示する。また、時間軸３９Ｘのスケールの単位を画像により表示する。具体的には、週表示モードが選択されているとき、「週前」の印字に対応する矢印を点灯する。また、月表示モードが選択されているとき、「月前」の印字に対応する矢印を点灯する。また、全表示モードが選択されているとき、「週前」および「月前」の印字に対応する矢印を消灯する。
【００３５】
図４を参照して、グラフ３９の構成等について説明する。
グラフ３９の時間軸３９Ｘは８列に区画されている。グラフ３９の血圧値軸３９Ｙは１３行に区画されている。すなわち、グラフ３９は合計１０４個の区画領域３９Ａにより構成されている。
【００３６】
各区画領域３９Ａには、マーカー４０を表示するためのセグメント５０が設けられている。セグメント５０は、２つのセグメントを１組として構成されている。１つのセグメント５０を構成する２つのセグメントは、それぞれ独立して点灯および消灯される。なお、セグメント５０は「表示要素」に相当する。
【００３７】
図５を参照して、マーカー４０およびセグメント５０の種類について説明する。
マーカー４０の種類は、以下の３つの条件に応じて８種類に分類されている。
（条件Ａ）測定データが最新測定データおよび過去測定データのいずれに該当するか。
（条件Ｂ）測定データが最高血圧値および最低血圧値のいずれに該当するか。
（条件Ｃ）測定データが正常値および異常値のいずれに該当するか。
【００３８】
マーカー４０の具体的な種類を以下に示す。
（ａ）マーカー４０は、条件Ａに応じて最新測定結果マーカー４１および過去測定結果マーカー４４に分類される。
（ｂ）最新測定結果マーカー４１は、条件Ｂに応じて最新最高血圧マーカー４２および最新最低血圧マーカー４３に分類される。
（ｃ）最新最高血圧マーカー４２は、条件Ｃに応じて最新正常最高血圧マーカー４２Ａおよび最新異常最高血圧マーカー４２Ｂに分類される。
（ｄ）最新最低血圧マーカー４３は、条件Ｃに応じて最新正常最低血圧マーカー４３Ａおよび最新異常最低血圧マーカー４３Ｂに分類される。
（ｅ）過去測定結果マーカー４４は、条件Ｂに応じて過去最高血圧マーカー４５および過去最低血圧マーカー４６に分類される。
（ｆ）過去最高血圧マーカー４５は、条件Ｃに応じて過去正常最高血圧マーカー４５Ａおよび過去異常最高血圧マーカー４５Ｂに分類される。
（ｇ）過去最低血圧マーカー４６は、条件Ｃに応じて過去正常最低血圧マーカー４６Ａおよび過去異常最低血圧マーカー４６Ｂに分類される。
【００３９】
セグメント５０としては、４種類のセグメントすなわち、最新上部セグメント５１、最新下部セグメント５２、過去上部セグメント５３、および過去下部セグメント５４が設けられている。
【００４０】
最新上部セグメント５１および最新下部セグメント５２としては、正三角形状のものが設けられている。また、これらの各セグメント５１，５２は、２つのセグメントにより１つの大型の菱形を形成するように設けられている。具体的には、最新上部セグメント５１の底辺と最新下部セグメント５２の底辺とが互いに対向し、かつそれぞれの頂点の１つが縦軸方向において整列するように設けられている。
【００４１】
過去上部セグメント５３および過去下部セグメント５４としては、半円形状のものが設けられている。また、これらの各セグメント５３，５４は、１つの大型の円を形成するように設けられている。具体的には、過去上部セグメント５３の弦と過去下部セグメント５４の弦とが互いに対向し、かつそれぞれの円弧の中心が縦軸方向において整列するように設けられている。
【００４２】
最新測定結果マーカー４１とセグメント５０との対応関係を以下に示す。
（ａ）最新正常最高血圧マーカー４２Ａは、最新上部セグメント５１および最新下部セグメント５２により表示される。
（ｂ）最新異常最高血圧マーカー４２Ｂは、最新上部セグメント５１により表示される。
（ｃ）最新正常最低血圧マーカー４３Ａは、最新上部セグメント５１および最新下部セグメント５２により表示される。
（ｄ）最新異常最低血圧マーカー４３Ｂは、最新上部セグメント５１により表示される。
【００４３】
過去測定結果マーカー４４とセグメント５０との対応関係を示す。
（ａ）過去正常最高血圧マーカー４５Ａは、過去上部セグメント５３および過去下部セグメント５４により表示される。
（ｂ）過去異常最高血圧マーカー４５Ｂは、過去上部セグメント５３により表示される。
（ｃ）過去正常最低血圧マーカー４６Ａは、過去上部セグメント５３および過去下部セグメント５４により表示される。
（ｄ）過去異常最低血圧マーカー４６Ｂは、過去上部セグメント５３により表示される。
【００４４】
図４および図５を参照して、グラフ３９の詳細な構成について説明する。なお、以下の説明に記載の各マーカー４０、すなわち最新測定結果マーカー４１、最新最高血圧マーカー４２、最新正常最高血圧マーカー４２Ａ、最新異常最高血圧マーカー４２Ｂ、最新最低血圧マーカー４３、最新正常最低血圧マーカー４３Ａ、最新異常最低血圧マーカー４３Ｂ、過去測定結果マーカー４４、過去最高血圧マーカー４５、過去正常最高血圧マーカー４５Ａ、過去異常最高血圧マーカー４５Ｂ、過去最低血圧マーカー４６、過去正常最低血圧マーカー４６Ａ、および過去異常最低血圧マーカー４６Ｂは、それぞれ図５に記載されたものと対応している。
【００４５】
グラフ３９の右端列は、最新測定データを表示するための列として構成されている。また、グラフ３９の右端列以外の複数の各列は、過去測定データを表示するための列として構成されている。以下では、グラフ３９の右端列を「最新列」とし、グラフ３９の右端列以外の各列をそれぞれ「過去列」とする。
【００４６】
グラフ３９の最新列の各区画領域３９Ａには、最新上部セグメント５１および最新下部セグメント５２が設けられている。これにより、グラフ３９の最新列の各区画領域３９Ａには、最新測定結果マーカー４１としての最新最高血圧マーカー４２および最新最低血圧マーカー４３が表示される。
【００４７】
グラフ３９においては、最新列の２つの区画領域３９Ａのそれぞれに最新測定結果マーカー４１が表示される。２つの最新測定結果マーカー４１のうち高さ方向Ｙにおいて上方ものが最新最高血圧マーカー４２に相当し、高さ方向Ｙにおいて下方のものが最新最低血圧マーカー４３に相当する。すなわち、グラフ３９においては、最新正常最高血圧マーカー４２Ａおよび最新正常最低血圧マーカー４３Ａとして同じ形状のものが表示される。また、最新異常最高血圧マーカー４２Ｂおよび最新異常最低血圧マーカー４３Ｂとして同じ形状のものが表示される。
【００４８】
グラフ３９の過去列の各区画領域３９Ａには、過去上部セグメント５３および過去下部セグメント５４が設けられている。これにより、グラフ３９の過去列の各区画領域３９Ａには、過去測定結果マーカー４４としての過去最高血圧マーカー４５および過去最低血圧マーカー４６が表示される。
【００４９】
グラフ３９においては、各過去列の２つの区画領域３９Ａのそれぞれに過去測定結果マーカー４４が表示される。２つの過去測定結果マーカー４４のうち高さ方向Ｙにおいて上方ものが過去最高血圧マーカー４５に相当し、高さ方向Ｙにおいて下方のものが過去最低血圧マーカー４６に相当する。すなわち、グラフ３９においては、過去正常最高血圧マーカー４５Ａおよび過去正常最低血圧マーカー４６Ａとして同じ形状のものが表示される。また、過去異常最高血圧マーカー４５Ｂおよび過去異常最低血圧マーカー４６Ｂとして同じ形状のものが表示される。
【００５０】
制御部１１による各マーカー４０の表示手順について説明する。なお、同表示手順の説明を含む以降の各説明において、それぞれの説明に記載の制御部１１は、図２に記載されたものと対応している。
【００５１】
まず、グラフ３９の表示モードを設定する。次に、最新列および各過去列に対応する測定データを読み出す。全表示モードのとき、最新測定データ、およびこの最新測定データからカウントして１〜７番目の過去測定データを読み出す。週表示モードのとき、週平均としての最新測定データ、およびこの最新測定データからカウントして１〜７番目の過去測定データを読み出す。月表示モードのとき、月平均としての最新測定データ、およびこの最新測定データからカウントして１〜７番目の過去測定データを読み出す。
【００５２】
そして、読み出した各測定データの最高血圧値および最低血圧値がそれぞれ最高血圧基準値および最低血圧基準値以上か否かを判定し、判定の結果に応じて各列のマーカー４０を表示する。なお、最高血圧基準値としては例えば「１４０ｍｍＨｇ」が設定される。また、最低血圧基準値としては例えば「９０ｍｍＨｇ」が設定される。この場合、「０ｍｍＨｇ以上かつ１４０ｍｍＨｇ未満」の範囲の最高血圧値は「所定範囲内の血圧値」に相当する。また、「１４０ｍｍＨｇ以上」の範囲の最高血圧値は「所定範囲外の血圧値」に相当する。また、「０ｍｍＨｇ以上かつ９０ｍｍＨｇ未満」の範囲の最低血圧値は「所定範囲内の血圧値」に相当する。また、「９０ｍｍＨｇ以上」の範囲の最低血圧値は「所定範囲外の血圧値」に相当する。
【００５３】
上記判定に基づく各マーカー４０の具体的な表示態様を以下に示す。
（Ａ）最新測定データの最高血圧値が最高血圧基準値未満のとき、最新正常最高血圧マーカー４２Ａを表示する。最新測定データの最高血圧値が最高血圧基準値以上のとき、最新異常最高血圧マーカー４２Ｂを表示する。
【００５４】
（Ｂ）最新測定データの最低血圧値が最低血圧基準値未満のとき、最新正常最低血圧マーカー４３Ａを表示する。最新測定データの最低血圧値が最低血圧基準値以上のとき、最新異常最低血圧マーカー４３Ｂを表示する。
【００５５】
（Ｃ）過去測定データの最高血圧値が最高血圧基準値未満のとき、過去正常最高血圧マーカー４５Ａを表示する。過去測定データの最高血圧値が最高血圧基準値以上のとき、過去異常最高血圧マーカー４５Ｂを表示する。
【００５６】
（Ｄ）過去測定データの最低血圧値が最低血圧基準値未満のとき、過去正常最低血圧マーカー４６Ａを表示する。過去測定データの最低血圧値が最低血圧基準値以上のとき、過去異常最低血圧マーカー４６Ｂを表示する。
【００５７】
なお、マーカー４０に関する構成は、以下のように発明特定事項と対応している。
・マーカー４０の形状は「識別情報」に相当する。
・最新正常最高血圧マーカー４２Ａ、最新正常最低血圧マーカー４３Ａ、過去正常最高血圧マーカー４５Ａ、および過去正常最低血圧マーカー４６Ａは「正常マーカー」に相当する。
・最新正常最高血圧マーカー４２Ａおよび最新正常最低血圧マーカー４３Ａは「最新正常マーカー」に相当する。
・過去正常最高血圧マーカー４５Ａおよび過去正常最低血圧マーカー４６Ａは「過去正常マーカー」に相当する。
・最新異常最高血圧マーカー４２Ｂ、最新異常最低血圧マーカー４３Ｂ、過去異常最高血圧マーカー４５Ｂ、および過去異常最低血圧マーカー４６Ｂは「異常マーカー」に相当する。
・最新異常最高血圧マーカー４２Ｂおよび最新異常最低血圧マーカー４３Ｂは「最新異常マーカー」に相当する。
・過去異常最高血圧マーカー４５Ｂおよび過去異常最低血圧マーカー４６Ｂは「過去異常マーカー」に相当する。
【００５８】
図６を参照して、月表示モードについて説明する。なお、図６において、点滅している状態のセグメント５０には矢印が付されている。また、図７〜図９、および図１２についても同様の記載方法によりセグメント５０の点滅の状態が示されている。
【００５９】
制御部１１は、表示モードとして月表示モードを設定したとき、平均値としての最新測定データの取得月、および同データの取得月を基準とした過去数ヶ月のそれぞれの月の過去測定データの平均値をマーカー４０により表示する。ここでは、１月前、２月前、３月前、４月前、６月前、９月前、および１２月前について各月の過去測定データの平均値をマーカー４０により表示する。また、スケール領域３７において、「月前」の印字に対応する矢印を点灯の状態、かつ「週前」の印字に対応する矢印を消灯の状態に設定する。また、最新測定データの取得月を基準とした過去の月を示す各数値、すなわち「１」、「２」、「３」、「４」、「６」、「９」、および「１２」を表示する。
【００６０】
制御部１１は、最新測定データに応じて次のように各マーカー４０を表示する。
（ａ）最新測定データの最高血圧値が「１４０ｍｍＨｇ」未満のとき、最新正常最高血圧マーカー４２Ａを表示する。
（ｂ）最新測定データの最高血圧値が「１４０ｍｍＨｇ」以上のとき、最新異常最高血圧マーカー４２Ｂを表示する。
（ｃ）最新測定データの最低血圧値が「９０ｍｍＨｇ」未満のとき、最新正常最低血圧マーカー４３Ａを表示する。
（ｄ）最新測定データの最低血圧値が「９０ｍｍＨｇ」以上のとき、最新異常最低血圧マーカー４３Ｂを表示する。
【００６１】
制御部１１は、過去測定データに応じて次のように各マーカー４０を表示する。
（ａ）過去測定データの最高血圧値が「１４０ｍｍＨｇ」未満のとき、過去正常最高血圧マーカー４５Ａを表示する。
（ｂ）過去測定データの最高血圧値が「１４０ｍｍＨｇ」以上のとき、過去異常最高血圧マーカー４５Ｂを表示する。
（ｃ）過去測定データの最低血圧値が「９０ｍｍＨｇ」未満のとき、過去正常最低血圧マーカー４６Ａを表示する。
（ｄ）過去測定データの最低血圧値が「９０ｍｍＨｇ」以上のとき、過去異常最低血圧マーカー４６Ｂを表示する。
【００６２】
制御部１１は、そのときに選択データとして設定されている最新測定データまたは過去測定データについて、このデータに対応する最高血圧値、最低血圧値、および脈拍をそれぞれ最高血圧領域３１、最低血圧領域３２、および脈拍領域３６に表示する。
【００６３】
制御部１１は、記憶ボタン２４が１度押される毎に選択データを変更する。具体的には、そのときに設定している測定データよりも１回前の測定分の測定データを新しい選択データとして設定する。また、選択データの初期値として最新測定データを設定する。また、左端列に対応する過去測定データを選択データとして設定している状態において記憶ボタン２４が押されたとき、最新測定データを選択データとして設定する。
【００６４】
図７を参照して、週表示モードについて説明する。
制御部１１は、表示モードとして週表示モードを設定したとき、平均値としての最新測定データの取得週、および同データの取得週を基準とした過去数週間のそれぞれの週の過去測定データの平均値をマーカー４０により表示する。ここでは、１週間前、２週間前、３週間前、４週間前、６週間前、９週間前、および１２週間前について各週の過去測定データの平均値をマーカー４０により表示する。また、スケール領域３７において、「月前」の印字に対応する矢印を消灯の状態、かつ「週前」の印字に対応する矢印を点灯の状態に設定する。また、最新測定データの取得週を基準とした過去の週を示す各数値、すなわち「１」、「２」、「３」、「４」、「６」、「９」、および「１２」を表示する。
【００６５】
制御部１１は、最新測定データに応じて月表示モードと同様の態様で各マーカー４０を表示する。また、過去測定データに応じて月表示モードと同様の態様で各マーカー４０を表示する。また、選択データに対応する最高血圧値、最低血圧値、および脈拍をそれぞれ最高血圧領域３１、最低血圧領域３２、および脈拍領域３６に表示する。また、記憶ボタン２４の操作に応じて月表示モードと同様の態様で選択データを変更する。
【００６６】
図８および図９を参照して、全表示モードについて説明する。
制御部１１は、表示モードとして全表示モードを設定したとき、最新測定データおよび１〜７番目の過去測定データをマーカー４０により表示する。ここでは、スケール領域３７において、「月前」の印字に対応する矢印を消灯の状態、かつ「週前」の印字に対応する矢印を消灯の状態、かつ各数字を消灯の状態に設定する。
【００６７】
制御部１１は、最新測定データに応じて月表示モードおよび週表示モードと同様の態様で各マーカー４０を表示する。また、過去測定データに応じて月表示モードおよび週表示モードと同様の態様で各マーカー４０を表示する。また、選択データに対応する最高血圧値、最低血圧値、脈拍、測定時間帯、およびデータ番号をそれぞれ最高血圧領域３１、最低血圧領域３２、脈拍領域３６、時間帯領域３５、および番号領域３３に表示する。
【００６８】
制御部１１は、記憶ボタン２４が１度押される毎に選択データを変更する。具体的には、そのときに設定している測定データよりもデータ番号が１つ若い測定データを新しい選択データとして設定する。また、選択データの初期値として最新測定データを設定する。また、左端列に対応する過去測定データを選択データとして設定している状態において記憶ボタン２４が押されたとき、かつ最新測定データからカウントして８番目のデータ番号（「１００」番）よりも若いデータ番号の過去測定データが記憶されているとき、以下のように過去測定データをマーカー４０により表示する。
【００６９】
すなわち、図９に示されるように、過去列のうちの右端の列すなわち最新列の左隣りの過去列に表示されている過去測定データのマーカー４０の表示を中止する。また、他の６つの過去列に表示されている各過去測定データのマーカー４０の表示列を１列ずつ右側の列に移動する。また、最新測定データからカウントして９番目のデータ番号（「０９９」番）の過去測定データのマーカー４０を左端列に表示する。なお、左端列に対応する過去測定データを選択データとして設定している状態において記憶ボタン２４がさらに押されたときには、上記と同様の手順で各過去測定データのマーカー４０の表示を変更する。
【００７０】
図１０および図１１を参照して、制御部１１により行なわれる制御について説明する。なお、同制御の説明に記載の操作ボタン２２および切替ボタン２５は、図１等に記載されたものと対応している。また、表示部３０の各領域３１〜３８およびグラフ３９は、図３等に記載されたものと対応している。
【００７１】
制御部１１は、グラフ３９の表示内容を操作ボタン２２の操作に応じて変更するための「グラフ表示制御」と、グラフ領域３８にグラフ３９を表示しているときに各領域３１〜３８の表示内容を変更するための「表示内容変更制御」とを行う。
【００７２】
図１０に、グラフ表示制御の手順を示す。
グラフ表示制御は、制御部１１により所定の制御周期毎に繰り返し行なわれる。すなわち、最後のステップの処理が終了した後、所定の制御周期が経過するまではグラフ表示制御の実行が保留される。そして、所定の制御周期が経過したとき、再び最初のステップからグラフ表示制御が行なわれる。
【００７３】
ステップＳ１１では、操作ボタン２２が最後に操作されてからの経過時間（以下、「操作後時間」）が所定時間以上か否かを判定する。ステップＳ１１において、操作後時間が所定時間以上の旨判定したとき、ステップＳ１２において、図１の本体１０の電源をオンからオフに変更する。ステップＳ１１において、操作後時間が所定時間未満の旨判定したとき、ステップＳ１３の処理に移行する。
【００７４】
ステップＳ１３では、切替ボタン２５が押されたか否かを判定する。ステップＳ１３において、切替ボタン２５が押された旨判定したとき、ステップＳ１４において、測定データを図２の記憶部１２から読み出し、かつ図３の表示部３０の各領域３１〜３８に測定データに対応する情報を表示する。一方、ステップＳ１３において、切替ボタン２５が押されていない旨判定したとき、グラフ表示制御を一旦終了する。
【００７５】
図１１に、表示内容変更制御の手順を示す。
表示内容変更制御は、制御部１１により所定の制御周期毎に繰り返し行なわれる。すなわち、最後のステップの処理が終了した後、所定の制御周期が経過するまでは表示内容変更制御の実行が保留される。同制御周期が経過したとき、再び最初のステップから表示内容変更制御が行なわれる。
【００７６】
ステップＳ２１では、図１の切替ボタン２５が押されたか否かを判定する。ステップＳ２１において、切替ボタン２５が押された旨判定したとき、ステップＳ３４において、図３のグラフ３９の表示モードを変更する。ステップＳ２１において、切替ボタン２５が押されていない旨判定したとき、ステップＳ２２以降の処理を行う。
【００７７】
ステップＳ２２では、図１の記憶ボタン２４が押されたか否かを判定する。ステップＳ２３では、図３のグラフ３９の左端列の過去測定データ以外の過去測定データを選択データとして設定しているか否かを判定する。ステップＳ２４では、現在選択しているグラフ３９の表示モードが全表示モードか否かを判定する。
【００７８】
制御部１１は、ステップＳ２２〜Ｓ２４の判定結果に応じて以下の各処理を行う。
（Ａ）ステップＳ２２において否定判定のとき、表示内容変更制御を一旦終了する。
（Ｂ）ステップＳ２２において肯定判定、かつステップＳ２３において肯定判定のとき、ステップＳ３３において１つ左側の列の過去測定データを選択データとして設定する。
【００７９】
（Ｃ）ステップＳ２２において肯定判定、ステップＳ２３において否定判定、かつステップＳ２４において否定判定のとき、ステップＳ３２においてグラフ３９の右端列の最新測定データを選択データとして設定する。
【００８０】
（Ｄ）ステップＳ２２において肯定判定、ステップＳ２３において否定判定、かつステップＳ２４において肯定判定のとき、ステップＳ３１において非表示の過去測定データのうちの最新の測定データを表示する。
【００８１】
（実施形態の効果）
本実施形態の電子血圧計１によれば以下の効果が得られる。
（１）電子血圧計１においては、最新正常最高血圧マーカー４２Ａの形状と最新異常最高血圧マーカー４２Ｂの形状とが互いに異なる。また、最新正常最低血圧マーカー４３Ａの形状と最新異常最低血圧マーカー４３Ｂの形状とが互いに異なる。また、過去正常最高血圧マーカー４５Ａの形状と過去異常最高血圧マーカー４５Ｂの形状とが互いに異なる。また、過去正常最低血圧マーカー４６Ａの形状と過去異常最低血圧マーカー４６Ｂの形状とが互いに異なる。
【００８２】
この構成によれば、ユーザーは測定結果としての血圧値が高血圧か否かを判断しやすい。また、正常マーカーとしてのマーカー４２Ａ，４３Ａ，４５Ａ，４６Ａ、および異常マーカーとしてのマーカー４２Ｂ，４３Ｂ，４５Ｂ，４６Ｂの色を異ならせることによりユーザーの視認性を高める構成と比較して、製造にかかるコストが低くなる。
【００８３】
（２）電子血圧計１においては、最新上部セグメント５１により最新正常最高血圧マーカー４２Ａの一部および最新異常最高血圧マーカー４２Ｂが表示される。また、最新上部セグメント５１により最新正常最低血圧マーカー４３Ａの一部および最新異常最低血圧マーカー４３Ｂが表示される。また、過去上部セグメント５３により過去正常最高血圧マーカー４５Ａの一部および過去異常最高血圧マーカー４５Ｂが表示される。また、過去上部セグメント５３により過去正常最低血圧マーカー４６Ａの一部および過去異常最低血圧マーカー４６Ｂが表示される。
【００８４】
この構成によれば、同じ大きさのセグメントにより正常マーカーおよび異常マーカーを表示する構成と比較して、１つの正常マーカーとしてのマーカー４２Ａ，４３Ａ，４５Ａ，４６Ａが大きくなるため、ユーザーが正常マーカーを判断しやすくなる。また、正常マーカーおよび異常マーカーを各別に形成し、かつ正常マーカーを異常マーカーよりも大きくする構成と比較して、正常マーカーとしてのマーカー４２Ａ，４３Ａ，４５Ａ，４６Ａ、および異常マーカーとしてのマーカー４２Ｂ，４３Ｂ，４５Ｂ，４６Ｂが表示部３０に占める面積が小さくなる。このため、表示部３０により多くのセグメント５０を設けることができる。
【００８５】
（３）電子血圧計１においては、最新異常最高血圧マーカー４２Ｂおよび最新異常最低血圧マーカー４３Ｂとして三角形状のマーカーが設けられている。また、各マーカー４２Ｂ，４３Ｂの頂点が各マーカー４２Ｂ，４３Ｂの上方かつ幅方向の中心に位置している。
【００８６】
この構成によれば、各マーカー４２Ｂ，４３Ｂの幅が下方から上方に向けて小さくなるため、各マーカー４２Ｂ，４３Ｂが上方に向かう矢印に類似した形状としてユーザーに認識される可能性が高くなる。このため、測定結果としての最高血圧が正常範囲に対して高すぎるとき、各マーカー４２Ｂ，４３Ｂがその旨を示すものであることをユーザーに直感的に認識させやすい。
【００８７】
（４）電子血圧計１においては、過去異常最高血圧マーカー４５Ｂおよび過去異常最低血圧マーカー４６Ｂとして半円形状のマーカーが設けられている。また、各マーカー４５Ｂ，４６Ｂの円弧の中心が各マーカー４５Ｂ，４６Ｂの上方かつ幅方向の中心に位置している。
【００８８】
この構成によれば、各マーカー４５Ｂ，４６Ｂの幅が下方から上方に向けて小さくなるため、各マーカー４５Ｂ，４６Ｂが上方に向かう矢印に類似した形状としてユーザーに認識される可能性が高くなる。このため、測定結果としての最高血圧が正常範囲に対して高すぎるとき、各マーカー４５Ｂ，４６Ｂがその旨を示すものであることをユーザーに直感的に認識させやすい。
【００８９】
（５）電子血圧計１においては、横軸および縦軸がそれぞれ時間軸３９Ｘおよび血圧値軸３９Ｙとして設定された１つのグラフ３９に複数の測定結果がマーカー４０により表示される。この構成によれば、最新測定結果を含めた血圧値の測定結果について、その経時的な変化をユーザーが把握しやすい。
【００９０】
（６）電子血圧計１においては、最新最高血圧マーカー４２および最新最低血圧マーカー４３を共通の血圧値軸３９Ｙにより表示している。また、過去最高血圧マーカー４５および過去最低血圧マーカー４６を共通の血圧値軸３９Ｙにより表示している。この構成によれば、１回の血圧値の測定結果により得られる最高血圧値および最低血圧値の差をユーザーが容易に確認することができる。
【００９１】
（７）電子血圧計１においては、最新測定結果マーカー４１の形状と過去測定結果マーカー４４の形状とが互いに異なる。この構成によれば、ユーザーが最新測定結果と過去測定結果とを比較するときの作業が行ないやすい。また、最新測定結果マーカー４１の色と過去測定結果マーカー４４の色とを互いに異ならせることによりユーザーの視認性を高める構成と比較して、製造にかかるコストが低くなる。
【００９２】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００９３】
・上記実施形態（図５）では、最新正常最高血圧マーカー４２Ａの形状と、過去正常最高血圧マーカー４５Ａの形状とを互いに異なるものに設定しているが、これらマーカー４２Ａ，４５Ａの形状を同じものに変更することもできる。すなわち、最新上部セグメント５１の形状と過去上部セグメント５３の形状とを互いに同じものに設定し、かつ最新下部セグメント５２の形状と、過去下部セグメント５４の形状とを互いに同じものに設定することもできる。
【００９４】
・上記実施形態（図５）では、最新異常最高血圧マーカー４２Ｂの形状と、過去異常最高血圧マーカー４５Ｂの形状とを互いに異なるものに設定しているが、これらマーカー４２Ｂ，４５Ｂの形状を同じものに変更することもできる。すなわち、最新下部セグメント５２の形状と、過去下部セグメント５４の形状とを互いに同じものに設定することもできる。
【００９５】
・上記実施形態（図５）では、最新最高血圧マーカー４２の形状と最新最低血圧マーカー４３の形状とを互いに同じものに設定しているが、これらマーカー４２，４３の形状を互いに異なるものに設定することもできる。この場合の具体的な構成の例としては、例えば以下のものが挙げられる。
【００９６】
（Ａ）最新正常最高血圧マーカー４２Ａを最新上部セグメント５１により表示する。最新正常最低血圧マーカー４３Ａを最新下部セグメント５２により表示する。最新異常最高血圧マーカー４２Ａを最新上部セグメント５１の点滅により表示する。最新異常最低血圧マーカー４３Ａを最新下部セグメント５２の点滅により表示する。
【００９７】
（Ｂ）最新正常最高血圧マーカー４２Ａを最新上部セグメント５１および最新下部セグメント５２により表示する。最新正常最低血圧マーカー４３Ａを最新下部セグメント５２により表示する。最新異常最高血圧マーカー４２Ａを最新上部セグメント５１および最新下部セグメント５２の点滅により表示する。最新異常最低血圧マーカー４３Ａを最新下部セグメント５２の点滅により表示する。
【００９８】
・上記実施形態（図５）では、過去最高血圧マーカー４５の形状と過去最低血圧マーカー４６の形状とを互いに同じものに設定しているが、これらマーカー４５，４６の形状を互いに異なるものに設定することもできる。この場合の具体的な構成の例としては、上記変形例の（Ａ）または（Ｂ）に準じた構成が挙げられる。
【００９９】
・上記実施形態（図５）では、最新最高血圧マーカー４２の一部を表示する最新下部セグメント５２により最新最低血圧マーカー４３の全体を表示しているが、前者のマーカー４２とは独立したセグメントにより後者のマーカー４３を表示することもできる。
【０１００】
例えば、最新上部セグメント５１および最新下部セグメント５２とは別のセグメントを区画領域３９Ａに追加する。また、最新正常最低血圧マーカー４３Ａをこの追加のセグメントにより表示する。また、最新異常最低血圧マーカー４３Ｂを同セグメントの点滅により表示する。
【０１０１】
・上記実施形態（図５）では、過去最高血圧マーカー４５の一部を表示する過去下部セグメント５４により過去最低血圧マーカー４６の全体を表示しているが、前者のマーカー４５とは独立したセグメントにより後者のマーカー４６を表示することもできる。
【０１０２】
例えば、過去上部セグメント５３および過去下部セグメント５４とは別のセグメントを区画領域３９Ａに追加する。また、過去正常最低血圧マーカー４６Ａをこの追加のセグメントにより表示し、過去異常最低血圧マーカー４６Ｂを同セグメントの点滅により表示する。
【０１０３】
・上記実施形態（図５）では、正常マーカーとしてのマーカー４２Ａ，４３Ａ，４５Ａ，４６Ａの形状と、異常マーカーとしてのマーカー４２Ｂ，４３Ｂ，４５Ｂ，４６Ｂの形状とを互いに異なるものに設定し、これによりユーザーの視認性を高めているが、前者のマーカー４２Ａ，４３Ａ，４５Ａ，４６Ａの色と後者のマーカー４２Ｂ，４３Ｂ，４５Ｂ，４６Ｂの色とを互いに異なるものに設定することによりユーザーの視認性を高めることもできる。
【０１０４】
・上記実施形態（図３）では、最新最高血圧マーカー４２、最新最低血圧マーカー４３、過去最高血圧マーカー４５、および過去最低血圧マーカー４６を１つのグラフ３９に表示しているが、表示部３０の構成を次のように変更することもできる。すなわち、図１２に示されるように、最新最高血圧マーカー４２および過去最高血圧マーカー４５を表示するグラフ３９Ｈ、および最新最低血圧マーカー４３および過去最低血圧マーカー４６を表示するグラフ３９Ｌをグラフ３９に代えて表示部３０に設ける。この場合には、グラフ３９Ｌをグラフ３９Ｈの下方に設けるとともに、表示部３０において２つのグラフ３９Ｈ，３９Ｌの縦軸の幅方向Ｘの位置を一致させることが好ましい。
【０１０５】
・上記実施形態（図３）では、グラフ３９の時間軸３９Ｘを１つの最新列および７つの過去列に区分しているが、時間軸３９Ｘの区分を以下のように変更することもできる。
（Ａ）１つの最新列および１つ以上かつ７つ未満の過去列に区分する。
（Ｂ）１つの最新列および８つ以上の過去列に区分する。
【０１０６】
・上記実施形態（図３）では、グラフ３９の時間軸３９Ｘの右端列（最新列）に最新測定結果マーカー４１を表示しているが、左端列に最新測定結果マーカー４１を表示することもできる。この場合には、左端列を除く７つ列において左から右の列に向かうにつれて表示される測定データが順に過去のものとなる。
【０１０７】
・上記実施形態（図８）では、各表示モードにおいて最新測定データをグラフ３９の右端列に常に表示しているが、グラフ３９の測定データの表示方法を次のように変更することもできる。すなわち、最新測定データを除いて各過去測定データをグラフ３９に表示するための表示モードを用意する。そして、操作ボタン２２の操作により同表示モードが選択されたとき、最新測定データの表示を停止し、各過去測定データをそれぞれ１列分にわたり右の列に移動し、そのとき非表示の過去測定データのうちの最新のものを左端列に表示する。
【０１０８】
・上記実施形態（図３）に対して、測定データの最高血圧値および最低血圧値の少なくとも一方が低血圧を示す範囲内にあるか否かを判定し、同範囲内にあるときにはその旨を示すマーカーを表示する機能を付加することもできる。この場合の具体的な構成の一例としては、以下の（Ａ）および（Ｂ）が挙げられる。
【０１０９】
（Ａ）測定データの最高血圧値が第１の低血圧判定値未満か否かを判定し、判定値未満のときにはその旨を示すマーカーを表示する。同マーカーの表示方法としては、上記実施形態のセグメント５０とは別の追加のセグメントにより表示するものが挙げられる。またこの他に、最新下部セグメント５２または過去下部セグメント５４により表示するものが挙げられる。なお、「第１の低血圧判定値以上」の範囲の最高血圧値は「所定範囲内の血圧値」に相当する。また、「第１の低血圧判定値未満」の範囲の最高血圧値は「所定範囲外の血圧値」に相当する。
【０１１０】
（Ｂ）測定データの最低血圧値が第２の低血圧判定値未満か否かを判定し、判定値未満のときにはその旨を示すマーカーを表示する。同マーカーの表示方法としては、上記実施形態のセグメント５０とは別の追加のセグメントにより表示するものが挙げられる。またこの他に、最新下部セグメント５２または過去下部セグメント５４により表示するものが挙げられる。なお、「第２の低血圧判定値以上」の範囲の最低血圧値は「所定範囲内の血圧値」に相当する。また、「第２の低血圧判定値未満」の範囲の最低血圧値は「所定範囲外の血圧値」に相当する。
【０１１１】
・上記実施形態（図４）では、セグメント式の液晶画面を有する表示部３０を備えているが、表示部３０の構成はこれに限られない。例えば、ドットの組み合わせによりマーカー４０を表示するドット式の液晶画面を有する表示部を用いることもできる。
【０１１２】
・上記実施形態（図１）では、圧迫帯６０を腕に巻く型式の電子血圧計１に本発明を適用した場合の一例を示しているが、その他の型式の電子血圧計に対して本発明を適用することもできる。その他の型式の電子血圧計としては、例えば圧迫帯を手首に巻く型式のものが挙げられる。
【符号の説明】
【０１１３】
１…電子血圧計、４０…マーカー、４２Ａ…最新正常最高血圧マーカー（マーカー、正常マーカー、最新正常マーカー）、４２Ｂ…最新異常最高血圧マーカー（マーカー、異常マーカー、最新異常マーカー）、４３Ａ…最新正常最低血圧マーカー（マーカー、正常マーカー、最新正常マーカー）、４３Ｂ…最新異常最低血圧マーカー（マーカー、異常マーカー、最新異常マーカー）、４５Ａ…過去正常最高血圧マーカー（マーカー、正常マーカー、過去正常マーカー）、４５Ｂ…過去異常最高血圧マーカー（マーカー、異常マーカー、過去異常マーカー）、４６Ａ…過去正常最低血圧マーカー（マーカー、正常マーカー、過去正常マーカー）、４６Ｂ…過去異常最低血圧マーカー（マーカー、異常マーカー、過去異常マーカー）、５０…セグメント（表示要素）、５１…最新上部セグメント（表示要素）、５２…最新下部セグメント（表示要素）、５３…過去上部セグメント（表示要素）、５４…過去下部セグメント（表示要素）。
【図１】
2013022285.tif 000003
【図２】
2013022285.tif 000004
【図３】
2013022285.tif 000005
【図４】
2013022285.tif 000006
【図５】
2013022285.tif 000007
【図６】
2013022285.tif 000008
【図７】
2013022285.tif 000009
【図８】
2013022285.tif 000010
【図９】
2013022285.tif 000011
【図１０】
2013022285.tif 000012
【図１１】
2013022285.tif 000013
【図１２】
2013022285.tif 000014